(57)【特許請求の範囲】
【請求項１】
第１の記録領域に第１の情報が書き込まれ、かつ当該第１の情報の記述内容に従って第２の情報が書き込み可能なディスク状記録媒体において、
上記第１の情報を形成する複数の要素と異なる新たな種類の要素を付加することなく、当該複数の要素の構成から第３の情報が得られ、
上記第３の情報の記述内容は、上記第１の情報を形成する上記複数の要素のうち、循環的に繰り返し発現する各上記要素の順序又は連続性を設定変更した
ディスク状記録媒体。
【請求項２】
上記第１の記録領域と異なる第２の記録領域に、上記第２の情報の書込み時に必要な種々の拡張情報が書き込まれている
請求項１に記載のディスク状記録媒体。
【請求項３】
上記第３の情報の記述内容は、上記第１の情報を形成する上記複数の要素のうち、絶対時間情報を形成する各上記要素のデータ長を設定変更した
請求項１に記載のディスク状記録媒体。
【請求項４】
上記第３の情報の記述内容は、上記絶対時間情報を形成する上記第１の情報の配列順序を設定変更した
請求項３に記載のディスク状記録媒体。
【請求項５】
上記第３の情報の記述内容は、上記第１の記録領域における上記第１の情報を形成する各上記要素のアドレス又は時間位置を設定変更した
請求項１に記載のディスク状記録媒体。
【発明の詳細な説明】
【０００１】
【発明の属する技術分野】
本発明はディスク状記録媒体、記録装置及び記録方法に関し、例えば同一個所に一度だけ情報を書き込めるＣＤ−Ｒ（Compact Disc Recordable）等のライトワンス（ＷＯ：Write Once）型の光ディスクや、同一個所に何度でも情報を書き直せるＣＤ−ＲＷ等のリライタブル（ＲＷ：Rewritable）型の光ディスクにデータを読み書きする光ディスク装置に適用して好適なものである。
【０００２】
【従来の技術】
従来、この種の光ディスク装置においては、ホストコンピュータから与えられるデータ（以下、これを元データと呼ぶ）をバッファメモリに順次蓄えながら、これにＣＩＲＣ（Cross Interleave Reed-Solomon Code）エンコード処理及びＥＦＭ（Eight to Fourteen Modulation）変調処理等の所定の記録用データ処理を施し、得られた所定フォーマットのデータを光ピックアップを介して光ディスク（ＣＲ−Ｒ、ＣＤ−ＲＷ）に書き込むようになされている。
【０００３】
【発明が解決しようとする課題】
ところでこのような光ディスク装置に使用する従来の光ディスク（以下、これを通常型光ディスクと呼ぶ）では、通常の線速度一定（ＣＬＶ:Constant Linear Velocity）における読取速度に対して１〜４倍の書込速度（以下、これを低速書込速度と呼ぶ）又は８〜10倍の書込速度（以下、これを高速書込速度と呼ぶ）で書き込むことができるように設定されている。
【０００４】
近年、これに加えて通常型光ディスクよりもさらに高速書込み可能な光ディスク（以下、これを特別型光ディスクと呼ぶ）が提案されており、当該特別型光ディスクは、通常の線速度一定（ＣＬＶ）における読取速度に対して８〜16倍又は８〜20倍の書込速度（以下、これを超高速書込速度と呼ぶ）で書き込むことができるように設定されている。
【０００５】
ところが、通常型光ディスクのみ書込み可能な光ディスク装置において、特別型光ディスクが装填された場合、その記録面のリードインエリアの記録フォーマットに新たな情報が拡張的に付加されていると、当該リードインエリアをリードしたときに、混乱や不具合を生じるおそれがあると共に、機種によっては書込み禁止動作が作動するおそれもあった。
【０００６】
従って特別型光ディスクか通常型光ディスクかの判別用の情報を、記録面のリードアウトの記録フォーマットに追加する方法が考えられるが、記録面の内周側に位置するリードインエリアから外周側に位置するリードアウトエリアまでシーク時間がかかる一方、もともと読み取る必要のない通常型光ディスクの場合でも常に読取り動作を行うことは、ユーザにとって使用効率を悪化させる点で問題があった。
【０００７】
本発明は以上の点を考慮してなされたもので、ユーザにとって使用効率を格段と向上し得るディスク状記録媒体、記録装置及び記録方法を提案しようとするものである。
【０００８】
【課題を解決するための手段】
かかる課題を解決するため本発明においては、第１の記録領域に第１の情報が書き込まれ、かつ当該第１の情報の記述内容に従って第２の情報が書き込み可能なディスク状記録媒体において、第１の情報を形成する複数の要素と異なる新たな種類の要素を付加することなく、当該複数の要素の構成から第３の情報が得られ、第３の情報の記述内容は、第１の情報を形成する上記複数の要素のうち、循環的に繰り返し発現する各要素の順序又は連続性を設定変更した。
【０００９】
この結果、このディスク状記録媒体では、第１の情報の記述内容に何ら新たな種類の要素を増加させることなく既存の情報のみで第３の情報を構成した分、限られた領域内で効率的に情報を利用することができる。
【００１４】
以下図面について、本願発明の一実施の形態について説明する。
【００１５】
（１）本実施の形態による光ディスクの構成
図１において、１は全体として本実施の形態による光ディスク装置を示し、ホストコンピュータ２から与えられるデータＤ１を光ディスク（ＣＤ−Ｒ、ＣＤ−ＲＷ）３に記録したり、これを光ディスク３から再生することができるようになされている。
【００１６】
すなわちかかる光ディスク装置１においては、記録モード時、ホストコンピュータ２から順次与えられるデータをインターフェース部４を介して内部に取り込み、これをエンコーダ部５を介してバッファメモリ６に順次格納するようになされている。
【００１７】
エンコーダ部５は、レイヤードＥＣＣ（Error Correcting Code）付加処理部７、ＣＩＲＣ（Cross interleave Reed-Solomon Coad）エンコード処理部８、ＥＦＭ（Eight to Fourteen Modulation）変調処理部９から構成され、バッファメモリ６に格納したデータＤ１をセクタ単位（２〔kbyte〕単位）で順次読み出し、当該データＤ１にレイヤードＥＣＣ付加部７において誤り訂正符号を付加すると共に、ＣＩＲＣエンコード処理部８においてＣＩＲＣエンコード処理及び同期データの挿入処理を施し、さらにＥＦＭ変調処理部９においてＥＦＭ変調処理を施した後、かくして得られた書込みデータＤ２をＲＦアンプ１０を介して光ピックアップ１１に送出する。
【００１８】
光ピックアップ１１は、レーザダイオード、コリメータレンズ、対物レンズ及び受光素子等の光学系デバイスと、レーザダイオードドライバ等の電気系デバイスとを有し、供給される書込みデータＤ２に応じて変調した光ビームＬ１を光ディスク３の記録面に照射する。
【００１９】
またこのとき光ピックアップ１１は、光ディスク３からの反射光Ｌ２に基づいてトラッキングエラー信号及びフォーカスエラー信号等のサーボエラー信号Ｓ１と、プッシュプル信号Ｓ２とを生成し、サーボエラー信号Ｓ１をＲＦアンプ１０を介してサーボ制御部１２に送出すると共に、プッシュプル信号Ｓ２をＡＴＩＰ（Absolute Time In Pre-groove）デコーダ部１３に送出する。
【００２０】
サーボ制御部１２は、供給されるサーボエラー信号Ｓ１に基づいてスピンドルドライバ１４を介してスピンドルモータ１５を制御することにより、光ディスク３を所定速度で回転駆動する。またサーボ制御部１２は、サーボエラー信号Ｓ１に基づいてスレッドドライバ１６を介してスレッドモータ１７を制御することにより、光ディスク３上の光ビームＬ１のビームスポット（以下、これを単にビームスポットと呼ぶ）を光ディスク３の記録面に形成されたデータトラック（プリグルーブ又はランド）に沿って当該ディスク３の径方向に移動させる。さらにサーボ制御部１２は、サーボエラー信号Ｓ１に基づいて２軸アクチュエータドライバ１８を介して光ピックアップ１１内の図示しない２軸アクチュエータを制御することより、トラッキング制御及びフォーカス制御を行う。
【００２１】
一方、ＡＴＩＰデコーダ部１３は、供給されるプッシュプル信号Ｓ２をデコード処理することにより、光ディスク３におけるそのときのビームスポットの絶対番地を検出し、これをＣＰＵ（Central Processing Unit ）１９に送出する。
【００２２】
すなわちＡＴＩＰデコーダ部１３は、プッシュプル信号Ｓ１をその内部に設けられた中心周波数22.05 〔Hz〕とする±１〔kHz 〕の範囲のバンドパスフィルタ回路を通すことにより当該プッシュプル信号Ｓ２に含まれるウォブル成分を抽出すると共に、当該ウォブル成分にＦＭ復調処理を施すことによりそのときビームスポットが位置している光ディスク３上の絶対番地を検出し、これを絶対時間情報Ｓ３としてＣＰＵ１９に送出する。
【００２３】
またＡＴＩＰデコーダ１３部は、上述のようなデコード処理により得られる光ディスク３上での絶対番地が変化するごとに（すなわち光ディスクにおけるビームスポットが走査するセクタが変わるごとに）、これを知らせるシンク割込信号Ｓ４をＣＰＵ１９に送出する。
【００２４】
かくしてＣＰＵ１９は、ＡＴＩＰデコーダ部１３から与えられるこれら絶対時間情報信号Ｓ３及びシンク割込信号Ｓ４に基づいて、光ディスク３におけるそのときの記録位置を順次認識し、当該認識結果に基づいて記録データＤ２を正しく光ディスク３に記録し得るように、必要な制御処理を実行する。
【００２５】
これに対して再生モード時、ＣＰＵ１９は、サーボ制御部１２を制御することにより、上述の記録モード時と同様にして、光ディスク３を所定速度で回転駆動させると共に、ビームスポットを光ディスク３のデータトラックに沿って移動させ、かつトラッキング制御及びフォーカス制御を行わせる。
【００２６】
またＣＰＵ１９は、上述した光ピックアップ１１内のレーザダイオードを駆動することにより光ビームＬ１を光ディスク３に向けて発射させる。この結果この光ビームＬ１が光ディスク３の記録面において反射し、その反射光に基づき得られるＲＦ信号でなる光ディスク３から読み出された読出しデータＤ３が光ピックアップ１１からＲＦアンプ１０を介してデコーダ部２０に与えられる。
【００２７】
デコーダ部２０は、ＰＬＬ（Phase Locked Loop）回路２１、同期データ検出部２２、ＥＦＭ復調部２３、ＣＩＲＣデコード部２４及びレイヤードＥＣＣ復調部２５から構成されており、ＰＬＬ回路２１において供給される読出しデータＤ３からクロックを抽出し、当該抽出したクロックＣＬＫを読出しデータＤ３と共に同期データ検出部２２に送出する。
【００２８】
同期データ検出部２２は、供給されるクロックＣＬＫに基づいて、上述した同期データのデータパターンよりも前後に所定ピットずつ大きいパルス幅の同期データ検出用ウィンドウパルスを生成する。そして同期データ検出部２２は、この同期データ検出用ウィンドウパルスを順次検出すると共に、検出結果に基づいて、読出しデータＤ３を所定単位で順次ＥＦＭ復調部２３に送出する。
【００２９】
そしてこの読出しデータＤ３は、この後ＥＦＭ復調部２３においてＥＦＭ復調処理され、ＣＩＲＣデコード部２４においてＣＩＲＣ復号化処理され、さらにレイヤードＥＣＣ復調部２５において誤り訂正処理が施されることにより記録前の元のフォーマットのデータに変換され、この後インターフェース回路４を介してホストコンピュータ２に送出される。
【００３０】
このようにしてこの光ディスク装置１では、ホストコンピュータ２から与えられるデータＤ１を光ディスク３に記録したり、当該光ディスク３に記録されているデータを再生してホストコンピュータ２に送出することができるようになされている。
【００３１】
（２）光ディスクの記録フォーマット
実際上この光ディスク装置１においては、光ディスク３の記録面には、ディジタルオーディオデータ（すなわち読出しデータ）Ｄ３が記録されているプログラムエリアＡ１以外にもユーザの使い勝手を向上するための付加情報が記録されているサブコードデータエリアＡ２が割り当てられている。
【００３２】
このサブコードデータエリアＡ２は、パワーキャリブレーションエリア（ＰＣＡ：Power Calibration Area）Ａ２Ａ、プログラムメモリエリア（ＰＭＡ：Program Memory Area）Ａ２Ｂ、リードインエリアＡ２Ｃ及びリードアウトエリアＡ２Ｄからなる。
【００３３】
そして光ディスク３の記録面３Ａには、図２に示すように、パワーキャリブレーションエリア（ＰＣＡ）Ａ２Ａ、プログラムメモリエリア（ＰＭＡ）Ａ２Ｂ、リードインエリアＡ２Ｃ、プログラムエリアＡ１及びリードアウトエリアＡ２Ｄの順で内周側から順次記録されている。
【００３４】
この場合、光ディスク３の記録面３Ａにおける各エリアの配列及び内容は、いわゆるオレンジブック（Orange Book）で規定された物理的フォーマットに従って決定される。
【００３５】
このうちパワーキャリブレーションエリア（ＰＣＡ）Ａ２Ａは、光ピックアップ１１内のレーザダイオードの光量制御用に利用される領域である。またプログラムメモリエリア（ＰＭＡ）Ａ２Ｂは、光ディスク３の記録過程に関する種々の情報を一時的に保持するための領域である。
【００３６】
ここでパワーキャリブレーションとは、光ディスク３の記録面３Ａに形成されるデータトラック（プリグルーブ又はランド）が所定の基準範囲から逸れること（以下、これをアシンメトリと呼ぶ）の発生を抑えるのに最適な光ビームパワーとなるように、記録モードの開始直後に、パワーキャリブレーションエリア（ＰＣＡ）Ａ２Ａ内に試験的に書込みを行いながら、光ディスク３に対する設定可能な書込速度及び当該光ディスク３の材質に応じてレーザダイオードの光量を制御することをいう。
【００３７】
さらにリードインエリアＡ２Ｃは、プログラムエリアＡ１に記録されるディジタルオーディオデータＤ３の記録開始を設定するための導入部となる領域である。さらにリードアウトエリアＡ２Ｄは、プログラムエリアＡ１に記録されるディジタルオーディオデータＤ３の記録終了を設定するための導出部となる領域である。
【００３８】
このうちリードインエリアＡ２Ｄには、供給されるディジタルオーディオデータＤ３のブロック単位で成り立つサブコード信号が書き込まれるようになされている。かかる１ブロックは、図３に示すように、所定のデータ構造からなるフレームが98個分結合したものであり、８チャンネルのサブコードＰ、Ｑ、Ｒ、Ｓ、Ｔ、Ｕ、Ｖ及びＷが意味をなす最小単位として論理的に構成されたものである。
【００３９】
具体的に１フレームは、図４に示すように、24ビットのフレーム同期情報と、チャンネルごとに１ビットずつ割り当てられた８チャンネルのサブコードＰ、Ｑ、Ｒ、Ｓ、Ｔ、Ｕ、Ｖ及びＷからなる８ビットの固定長データをＥＦＭ変調して得られる14ビットのサブコード情報と、８ビットのオーディオデータをＥＦＭ変調して得られる14ビットのオーディオデータの32個（32シンボル）分を順次間に３ビットの接続用ビットを介挿して結合させたオーディオ情報とから構成されている。
【００４０】
このサブコード信号のうちＱチャンネルに相当するデータ（以下、これをサブコードＱデータと呼ぶ）ＤＱは、図５に示すように、同期パターンの一部を表す「Ｓ０、Ｓ１」、音楽信号のチャンネル数やプリエンファシスの有無などの制御信号を表す「ＣＯＮＴＲＯＬ」、各種モード及びアドレス情報を表す「ＡＤＲ」、トラック番号を表す「ＴＮＯ」、インデックス番号を表す「ＰＯＩＮＴ」、曲中の経過時間を絶対時間情報で表す「ＭＩＮ」、「ＳＥＣ」及び「ＦＲＡＭＥ」、将来的にコマンド等を定義するためにリザーブとして空けてある「ＺＥＲＯ」、曲中の経過時間を相対時間情報で表す「ＰＭＩＮ」、「ＰＳＥＣ」及び「ＰＦＲＡＭＥ」、データ伝送の誤りを検出するための巡回冗長検査を表す「ＣＲＣ（Cyclic Redundancy Check）」の順番で順次記述されている。
【００４１】
なおサブコードＱデータＤＱの記述内容は、リードインエリアＡ２Ｃ、プログラムエリアＡ１及びリードアウトエリアＡ２Ｄに分かれており、それぞれ異なる内容が記述されるようになされている。
【００４２】
このうちサブコードＱデータＤＱにおけるリードインエリアＡ２Ｃに相当する絶対時間情報の配列パターンは、いわゆるオレンジブック（Orange Book）で規格化されており、１フレーム分のエキストラ情報の後に９フレーム分のタイムコード情報が続くように配置した10フレーム単位で連続的かつ循環的に繰り返すように規定されている。
【００４３】
かかるエキストラ情報として、ＣＤ−ＲＷの光ディスクの場合、スペシャルインフォメーション（Special Information）ＳＩ１〜ＳＩ３と、アディショナルインフォメーション（Additional Information）ＡＩ１、ＡＩ２とが規定されている。因みにアディショナルインフォメーションＡＩ３も実際には規定されているが、将来的に使用するためのリザーブとして現在は空けられている。
【００４４】
このうちスペシャルインフォメーションＳＩ１は、光ディスク３の種類（例えばＣＤ−Ｒ又はＣＤ−ＲＷか、８〔cm〕又は16〔cm〕か、通常型光ディスク又は特別型光ディスクか等）や各書込速度に応じたライトパワー（光ビームの強度）等、スペシャルインフォメーションＳＩ２は、リードインエリアＡ２Ｃの開始時刻、スペシャルインフォメーションＳＩ３は、リードアウトエリアＡ２Ｄの最終的に設定可能な開始時刻、アディショナルインフォメーションＡＩ１は、光ディスク３に対して設定可能な書込速度等、アディショナルインフォメーションＡＩ２は、各書込速度に対応してアシンメトリの発生を抑えるのに適当な光ビームパワー等がそれぞれ記述されている。
【００４５】
実際には、プリグルーブに埋め込まれる絶対時間情報は、サブコードＱデータＤＱにおいて絶対時間情報を表す「ＭＩＮ」、「ＳＥＣ」及び「ＦＲＡＭＥ」に割り当てられる２値化符号としても記述される。
【００４６】
例えば、「ＭＩＮ」、「ＳＥＣ」及び「ＦＲＡＭＥ」をそれぞれＭ１、Ｓ１及びＦ１で表すとき、（Ｍ１、Ｓ１、Ｆ１）＝（０、０、０）はプログラムエリアＡ１及びリードアウトエリアＡ２Ｄのタイムコード情報を表し、（Ｍ１、Ｓ１、Ｆ１）＝（１、０、０）はパワーキャリブレーションエリア（ＰＣＡ）Ａ２Ａ、プログラムメモリエリア（ＰＭＡ）Ａ２Ｂ及びリードインエリアＡ２Ｃのタイムコード情報を表す。また、（Ｍ１、Ｓ１、Ｆ１）＝（１、０、１）はスペシャルインフォメーションＳＩ１を表し、（Ｍ１、Ｓ１、Ｆ１）＝（１、１、０）はスペシャルインフォメーションＳＩ２を表し、（Ｍ１、Ｓ１、Ｆ１）＝（１、１、１）はスペシャルインフォメーションＳＩ３を表す。さらに、（Ｍ１、Ｓ１、Ｆ１）＝（０、０、１）はアディショナルインフォメーションＡＩ１を表し、（Ｍ１、Ｓ１、Ｆ１）＝（０、１、０）はアディショナルインフォメーションＡＩ２を表し、（Ｍ１、Ｓ１、Ｆ１）＝（０、１、１）はアディショナルインフォメーションＡＩ３を表す。
【００４７】
このようにしてリードインエリアＡ２Ｃに相当する絶対時間情報は、図６に示すように、１フレーム分のエキストラ情報を、スペシャルインフォメーションＳＩ１、ＳＩ２、ＳＩ３及びアディショナルインフォメーションＡＩ１、ＡＩ２と循環的に繰り返す順序（以下、これを通常型判別順序と呼ぶ）で割り当てながら、当該エキストラ情報に続いて９フレーム分のタイムコード情報が配置されるように規定されている。
【００４８】
本実施の形態において、光ディスク３の記録面３ＡにおけるリードインエリアＡ２Ｃに相当する絶対時間情報の記述内容を予め所定状態に設定しておき、記録モード時に、ＣＰＵ１９は、当該光ディスク３から順次読み取った絶対時間情報の記述内容を順次メモリ３０（図１）に格納しながら、当該メモリ３０に蓄積されたデータ内容に基づいて、現在装填されている光ディスク３が通常型光ディスクであるか又は特別型光ディスクであるかを判別することができ、さらに特別型光ディスクである場合にはリードアウトエリアＡ２Ｃに相当する絶対時間情報の記述内容を読み取るようになされている。
【００４９】
因みに本実施の形態においては、光ディスク３の記録面３ＡにおけるリードアウトエリアＡ２Ｄに相当する絶対時間情報も、上述したリードインエリアＡ２Ｃに相当する絶対時間情報とほぼ同様の内容で記述されており、特別型光ディスクに特有の超高速書込速度に応じたパラメータでライトパワー等が設定されている。
【００５０】
（３）本実施の形態によるリードインエリアに相当する絶対時間情報の記述内容従来の通常型光ディスクにおいて、リードインエリアＡ２Ｃに相当する絶対時間情報は、図６に示したように、９フレーム分の各タイムコード情報の前段に配置する１フレーム分のエキストラ情報を、スペシャルインフォメーションＳＩ１、ＳＩ２、ＳＩ３及びアディショナルインフォメーションＡＩ１、ＡＩ２のような通常型判別順序で循環的に割り当てるように配列順序が規定されている。
【００５１】
本実施の形態の場合、特別型光ディスクにおけるリードインエリアＡ２Ｃに相当する絶対時間情報は、９フレーム分の各タイムコード情報の前段に配置する１フレーム分のエキストラ情報の配列順序が、上述した通常型判別順番と異なる所定の配列順序（以下、これを特別型判別順序と呼ぶ）に設定されている。
【００５２】
この場合、例えば図７に示すように、９フレーム分の各タイムコード情報の前段に配置する１フレーム分のエキストラ情報の特別型判別順序として、スペシャルインフォメーションＳＩ３、ＳＩ２、ＳＩ１及びアディショナルインフォメーションＡＩ２、ＡＩ１の順番で割り当てるように設定されている。
【００５３】
（４）書込み設定処理手順ＲＴ１
次にこの光ディスク装置１の記録モード時におけるＣＰＵ１９の一連の処理手順について説明する。この光ディスク装置において、ＣＰＵ１９は、ユーザによって光ディスクが装填されると、図８に示す書込み設定処理手順ＲＴ１をステップＳＰ０から開始し続くステップＳＰ１において、装填された光ディスクの種類（例えばＣＤ−Ｒ又はＣＤ−ＲＷか、８〔cm〕又は16〔cm〕か）をその記録面に記録されているリードインエリアＡ２ＣのサブコードＱデータＤＱの記述内容に基づいて判別する。
【００５４】
続いてＣＰＵ１９は、ステップＳＰ２に進んで、ホストコンピュータ２からコマンドを待ち受け、やがて肯定結果を得るとステップＳＰ３に進んで、与えられたコマンドが書込動作を実行する旨のコマンド（すなわちライトコマンド）であるか否かを判断する。
【００５５】
このステップＳＰ３において否定結果を得ると、このことは与えられたコマンドがライトコマンド以外の他のコマンドであることを表しており、このときＣＰＵ１９は、ステップＳＰ４に進んで、当該コマンドを実行した後、再度ステップＳＰ２に戻ってホストコンピュータ２からコマンドが与えられるのを待つ。
【００５６】
これに対してステップＳＰ３において肯定結果が得られたとき、ＣＰＵ１９は、ステップＳＰ５に進んで、装填された光ディスク３の記録面３ＡのリードインエリアＡ２Ｃに相当する絶対時間情報の配列順序に基づいて、当該光ディスク３が特別型光ディスクであるか否かを判断する。
【００５７】
このステップＳＰ５において肯定結果を得ると、このことは装填された光ディスク３が特別型光ディスクであることを表しており、このときＣＰＵ１９は、ステップＳＰ６に進んで、当該光ディスク３の記録面３ＡのリードアウトエリアＡ２Ｄに相当する絶対時間情報の記述内容を読み取ることにより、超高速書込速度に応じたパラメータでライトパワー等を設定した後、ステップＳＰ７に進む。
【００５８】
一方ステップＳＰ５において否定結果を得ると、このことは装填された光ディスクが通常型光ディスクであることを表しており、このときＣＰＵ１９は、そのままステップＳＰ７に進む。
【００５９】
このステップＳＰ７において、ＣＰＵ１９は、当該光ディスク３について上述したパワーキャリブレーションが終了しているか否かを判断し、肯定結果が得られたときにはそのままステップＳＰ８に進む一方、否定結果が得られたときにはステップＳＰ９に進んでパワーキャリブレーションを実行した後ステップＳＰ８に進む。
【００６０】
このステップＳＰ８において、ＣＰＵ１９は、光ディスク３の記録面３ＡにおけるプログラムエリアＡ１にディジタルオーディオデータＤ３を書き込んだ後、ステップＳＰ９に進んで、当該ディジタルオーディオデータＤ３の書き込み動作が終了するのを待った後、再度ステップＳＰ２に戻ってホストコンピュータ２からコマンドが与えられるのを待つ。
【００６１】
このようにしてこの光ディスク装置１では、装填された光ディスク３の記録面３ＡのリードインエリアＡ２Ｃに相当する絶対時間情報の配列パターンに基づいて、当該光ディスク３が特別型光ディスクであるか通常型光ディスクであるかを判断することができ、さらに特別型光ディスクの場合のみリードアウトエリアＡ２Ｄに相当する絶対時間情報の記述内容を読み取ることができる。
【００６２】
（５）判別モード処理手順ＲＴ２
実際にこの光ディスク装置１では、ＣＰＵ１９は、上述した書込み設定処理手順ＲＴ１（図８）のステップＳＰ５において、図９に示す判別モード処理手順ＲＴ２をステップＳＰ１０から実行することにより、装填された光ディスク３が通常型光ディスクであるか特別型光ディスクであるかを判別する。
【００６３】
続くステップＳＰ１１において、ＣＰＵ１９は、光ピックアップ１１を光ディスク３の記録面３ＡにおけるリードインエリアＡ２Ｃの開始位置に移動させた後、ステップＳＰ１２に進んで、当該リードインエリアＡ２Ｃに相当する絶対時間情報を順次読み取る。
【００６４】
そしてステップＳＰ１３において、ＣＰＵ１９は、読み取った絶対時間情報のうちエキストラ情報（スペシャルインフォメーションＳＩ１、ＳＩ２、ＳＩ３又はアディショナルインフォメーションＡＩ１、ＡＩ２）が含まれているか否かを判断し、肯定結果が得られたときには、ステップＳＰ１４に進んで当該エキストラ情報をメモリに格納する。
【００６５】
これに対してステップＳＰ１３において否定結果を得たとき、このことは絶対時間情報のうちタイムコード情報しか含まれていないことを表しており、このときＣＰＵ１９は、再度ステップＳＰ１３に戻って肯定結果が得られるのを待つ。
【００６６】
続いてＣＰＵ１９は、ステップＳＰ１５に進んで、メモリ３０内に既にエキストラ情報が格納されているか否かを、各エキストラ情報ごとに設定されているフラグの立上り又は立下り状態に基づいて判断する。
【００６７】
このステップＳＰ１５において、肯定結果が得られると、このことは絶対時間情報を読み取り始めてから既に別のエキストラ情報をメモリ３０に格納したことを表しており、このときＣＰＵ１９は、ステップＳＰ１６に進んで、既にメモリ３０に格納されているエキストラ情報と続いて当該メモリ３０に格納したエキストラ情報とが、上述した通常型判別順序の一部に該当するものであるか否かを判断する。
【００６８】
このステップＳＰ１６において肯定結果を得ると、このことは現在装填されている光ディスク３が通常型光ディスクであることを表しており、このときＣＰＵ１９は、そのままステップＳＰ１７に進んで上述した書込み設定処理手順ＲＴ１のステップＳＰ６（図８）に進んだ後、ステップＳＰ１８に進んで当該判別モード処理手順ＲＴ２を終了する。
【００６９】
これに対してステップＳＰ１６において否定結果を得ると、ＣＰＵ１９は、ステップＳＰ１９に進んで、既にメモリ３０に格納されているエキストラ情報と続いて当該メモリ３０に格納したエキストラ情報とが、上述した特別型判別順序の一部に該当するものであるか否かを判断する。
【００７０】
このステップＳＰ１９において肯定結果を得ると、このことは現在装填されている光ディスク３が特別型光ディスクであることを表しており、このときＣＰＵ１９は、そのままステップＳＰ２７に進んで上述した書込み設定処理手順ＲＴ１のステップＳＰ７（図８）に進んだ後、ステップＳＰ１８に進んで当該判別モード処理手順ＲＴ２を終了する。
【００７１】
一方ステップＳＰ１９において否定結果を得ると、このことは現在装填されている光ディスク３が通常型光ディスクでも特別型光ディスクでもないことを表しており、このときＣＰＵ１９は、ステップＳＰ２１に進んで、所定のエラーメッセージをホストコンピュータ２に通知した後、ステップＳＰ１８に進んで当該判別モード処理手順ＲＴ２を終了する。
【００７２】
このように光ディスク装置１では、ＣＰＵ１９は、光ディスク３から順次読み取った絶対時間情報の各エキストラ情報を順次メモリ３０に格納しながら、当該エキストラ情報の配列順序に基づいて、現在装填されている光ディスク３が通常型光ディスクであるか又は特別型光ディスクであるかを判別することができる。
【００７３】
（６）本実施の形態による動作及び効果
以上の構成において、この光ディスク装置１では、ホストコンピュータ２からライトコマンドが与えられたとき、ＣＰＵ１９は、装填された光ディスク３について、その記録面３ＡのリードインエリアＡ２Ｃに相当する絶対時間情報を読み取りながら、当該読み取った絶対時間情報のうちエキストラ情報のみを順次メモリ３０に格納する。
【００７４】
続いてＣＰＵ１９は、当該メモリ３０に格納された連続するエキストラ情報の順序に基づいて、特別型判別順序であるか又は通常型判別順序であるかを認識することにより、当該光ディスク３が特別型光ディスクであるか又は通常型光ディスクであるかを判別することができる。
【００７５】
従って、光ディスク３の記録面３ＡにおけるリードインエリアＡ２Ｃの記述内容に新たな情報を拡張的に付加することなく、いわゆるオレンジブックで既に規定されているエキストラ情報の配列順序の変更のみに基づいて、特別型光ディスク又は通常型光ディスクの判別を容易に行うことができる。
【００７６】
この結果、通常型光ディスクのみ書込み可能な光ディスク装置においては、何ら混乱や不具合を生じることなく、通常の書込み動作に基づいて特別型ディスクを認識することができる一方、特別型光ディスクも書込み可能な光ディスク装置においても、通常の書込み動作に基づいて特別型光ディスクを認識すると共に超高速速度に応じたパラメータでライトパワー等を設定することができる。
【００７７】
以上の構成によれば、この光ディスク装置１において、ホストコンピュータ２からライトコマンドが与えられたとき、装填された光ディスク３について、その記録面３ＡのリードインエリアＡ２Ｃに相当する絶対時間情報のうち連続するエキストラ情報の配列順序に基づいて当該光ディスク３が特別型光ディスクであるか又は通常型光ディスクであるかを判別するようにしたことにより、当該光ディスク３の記録面３ＡにおけるリードインエリアＡ２Ｃの記述内容を拡張しない分、通常型ディスクのみ書込み可能な光ディスク装置でも特別型光ディスクを容易に認識することができ、かくしてユーザにとって使用効率を格段と向上させることができる。
【００７８】
（７）他の実施の形態
なお上述のように本実施の形態においては、本発明をＣＤ−ＲＷに対応する光ディスク装置１に適用するようにした場合について述べたが、本発明はこれに限らず、例えばＣＤ−Ｒ、ＤＶＤ（Digital Versatile Disc）−Ｒ若しくはＤＶＤ−ＲＷ等の書き込み可能な光ディスクや、ＭＯ（Magneto Optical Disk）ディスク等の光磁気ディスク等の種々のディスク状記録媒体に対応するこの他種々の記録装置に広く適用することができる。
【００７９】
この場合、記録装置として、通常型光ディスク（第１のディスク状記録媒体）におけるリードインエリアＡ２Ｃ（第１の記録領域）に書き込まれている絶対時間情報（第１の情報）の記述内容に従って、当該通常型光ディスクにディジタルオーディオデータ（第２の情報）Ｄ３を書き込む光ディスク装置１を適用するようにした場合について述べたが、本発明はこれに限らず、ディスク状記録媒体の記録フォーマットに対応した種々の構成からなる記録装置に適用するようにしても良い。
【００８０】
因みにＣＤ−Ｒの光ディスクでは、上述したリードインエリアＡ２Ｃに相当する絶対時間情報のエキストラ情報は、スペシャルインフォメーションＳＩ１、ＳＩ２、ＳＩ３のみからなるように、いわゆるオレンジブックで規定されている。
【００８１】
また上述の実施の形態においては、第１のディスク状記録媒体を、リードインエリアＡ２Ｃ（第１の記録領域）に相当する絶対時間情報（第１の情報）が書き込まれ、かつ当該絶対時間情報（第１の情報）の記述内容に従ってディジタルオーディオデータ（第２の情報）Ｄ３が書き込み可能な通常型光ディスクとして構成すると共に、第２のディスク状記録媒体を、絶対時間情報（第１の情報）を形成するタイムコード情報及びエキストラ情報（複数の要素）と異なる新たな種類の要素を付加することなく、当該絶対時間情報（第１の情報）の記述内容を変更した絶対時間情報（第３の情報）がリードインエリアＡ２Ｃ（第１の記録領域）に書き込まれた特別型光ディスクとして構成するようにした場合について述べたが、本発明はこれに限らず、要は通常型光ディスクに対して特別型光ディスクが新たな種類の要素を拡張的に付加しなければ、この他種々の構成からなる第１及び第２のディスク状記録媒体を広く適用するにしても良い。
【００８２】
さらに上述の実施の形態においては、第２のディスク状記録媒体としての特別型光ディスクにおけるリードインエリアＡ２Ｃ（第１の記録領域）に相当する絶対時間情報（第３の情報）の記述内容を、通常型光ディスクにおけるリードインエリアＡ２Ｃ（第１の記録領域）に相当する絶対時間情報（第１の情報）を形成する複数のタイムコード情報及びエキストラ情報（複数の要素）のうち、各エキストラ情報（循環的に繰り返し発現する各要素）の順序を設定変更するようにした場合について述べたが、本発明はこれに限らず、当該各エキストラ情報の順序のみならず当該順序に代えて又は加えて、当該各エキストラ情報の連続性を設定変更するようにしても良い。
【００８３】
この場合、特別型光ディスクにおけるリードインエリアＡ２Ｃに相当する絶対時間情報（第３の情報）の記述内容として、当該絶対時間情報のうち連続するエキストラ情報の配列順序を通常型判別順序から特別型判別順序に設定変更する場合の一例として、スペシャルインフォメーションＳＩ１、ＳＩ２、ＳＩ３及びアディショナルインフォメーションＡＩ１、ＡＩ２の順番からスペシャルインフォメーションＳＩ３、ＳＩ２、ＳＩ１及びアディショナルインフォメーションＡＩ２、ＡＩ１の順番に設定変更するようにした場合について述べたが、本発明はこれに限らず、通常型判別順序以外の種々の配列順序で各エキストラ情報を配置するようにして特別型判別順序に設定変更するようにしても良い。
【００８４】
さらに通常型判別順序と異なる特別型判別順序として、各エキストラ情報をそれぞれ複数ずつ連続して９フレーム分のタイムコード情報の前段に配置するようにしても良い。例えば９フレーム分の各タイムコード情報の前段に配置する１フレーム分のエキストラ情報を、スペシャルインフォメーションＳＩ１、ＳＩ１、ＳＩ２、ＳＩ２、ＳＩ３、ＳＩ３及びアディショナルインフォメーションＡＩ１、ＡＩ１、ＡＩ２、ＡＩ２の順番で連続的に循環するように配置するようにしても良い。
【００８５】
さらに各エキストラ情報のうち特定のエキストラ情報のみを複数ずつ連続して９フレーム分の各タイムコード情報の前段に配置するようにしても良い。例えば９フレーム分の各タイムコード情報の前段に配置する１フレーム分のエキストラ情報を、スペシャルインフォメーションＳＩ１、ＳＩ１、ＳＩ１、ＳＩ２、ＳＩ３及びアディショナルインフォメーションＡＩ１、ＡＩ２の順番で、スペシャルインフォメーションＳＩ１のみ連続するように配置しても良い。
【００８６】
さらに上述の実施の形態においては、絶対時間情報（第１の情報）を形成する複数のタイムコード情報及びエキストラ情報（複数の要素）と異なる新たな種類の要素を付加することなく、当該絶対時間情報（第１の情報）の記述内容を変更した絶対時間情報（第３の情報）がリードインエリアＡ２Ｃ（第１の記録領域）に書き込まれた特別型光ディスク（第２のディスク状記録媒体）が装填されたとき、当該特別型光ディスクのリードインエリアＡ２Ｃから絶対時間情報（第３の情報）を読み取る読取手段を、光ディスク装置１内の光ピックアップ１１、ＲＦアンプ１０及びＣＰＵ１９から構成するようにした場合について述べたが、本発明はこれに限らず、この他種々の構成からなる読取手段を広く適用することができる。
【００８７】
さらに上述の実施の形態においては、特別型光ディスク（第２のディスク状記録媒体）のリードインエリアＡ２Ｃ（第１の記録領域）から読み取った絶対時間情報（第３の情報）の記述内容に基づいて、特別型光ディスクが装填されているか否かを判別する判別手段を、光ディスク装置１内のＡＴＩＰデコーダ１３及びＣＰＵ１９から構成するようにした場合について述べたが、本発明はこれに限らず、この他種々の構成からなる判別手段を広く適用することができる。
【００８８】
この判別手段において、絶対時間情報（第３の情報）の記述内容に基づいて、特別型光ディスクに関する種々の設定情報を認識するようにしても良い。この場合、例えば光ディスク３の書込速度の下限及び上限やその範囲等、光ディスク３の材質、製造メーカ名及びロット番号などを設定情報として割り当てておけば良い。
【００８９】
さらに上述の実施の形態においては、特別型光ディスクに応じた絶対時間情報（第３の情報）の記述内容として、通常型光ディスクに応じた絶対時間情報（第１の情報）を形成する複数のタイムコード情報及びエキストラ情報（複数の要素）のうちエキストラ情報（指定された種類の要素）を順次格納するメモリ手段を、光ディスク装置内のＣＰＵ１９及びメモリ３０から構成するようにした場合について述べたが、本発明はこれに限らず、この他種々の構成からなるメモリ手段を広く適用することができる。
【００９０】
さらに上述の実施の形態においては、この判別手段を構成するＣＰＵ１９は、メモリ（メモリ手段）３０にエキストラ情報が格納されるごとに、当該エキストラ情報に応じたフラグを立ち上げながら、当該フラグの立上り状態又は立下り状態に応じて、各エキストラ情報の順序及び又は連続性を認識し、当該認識結果に基づいて、特別型光ディスクが装填されているか否かを判別するようにした場合について述べたが、本発明はこれに限らず、エキストラ情報の順番と連続性とをメモリ手段を介して認識することができれば、種々の方法により特別型光ディスクの装填の有無を認識することができる。
【００９１】
さらに上述の実施の形態においては、この判別手段を構成するＣＰＵ１９は、メモリ（メモリ手段）３０に格納されている各エキストラ情報（循環的に繰り返し発現する各要素）の発現回数を種類ごとに所定単位ごとに求めた後、それぞれコード変換した結果に基づいて、特別型光ディスクが装填されているか否かを判別するようにしても良い。
【００９２】
この場合、リードインエリアＡ２Ｃに相当する絶対時間情報（第３の情報）のうち、例えば６０フレーム単位で各エキストラ情報の発現回数（メモリへの格納回数）を累積加算して求める。このとき、９フレーム分の各タイムコード情報の前段に１フレーム分のエキストラ情報が配置されている場合を「１」とし、１０フレーム分すべてタイムコード情報が配置されている場合を「０」として、６０フレームのうち各エキストラ情報が何回発現したかを求めれば、各エキストラ情報は「０」〜「５」までの数値をとる。従って５種類のエキストラ情報を、例えばスペシャルインフォメーションＳＩ１、ＳＩ２、ＳＩ３及びアディショナルインフォメーションＡＩ１、ＡＩ２の順番で５桁の数値にコード変換すれば、当該６進数で５桁の数値に種々の設定情報を割り当てることができる。
【００９３】
このように各エキストラ情報（循環的に繰り返し発現する各要素）の発現回数を種類ごとに所定単位ごとに求めて、それぞれコード変換すれば、当該コード変換後の数値や記号（アルファベット等）に非常に多くの設定情報を割り当てることができ、かくして情報の種類を新たに増加させることなく既存の情報のみで効率的に設定情報を増加させることができる。
【００９４】
さらに上述の実施の形態においては、判別手段を構成するＣＰＵ１９は、メモリ（メモリ手段）に格納されている各タイムコード情報（時間情報を形成する各要素）のデータ長に基づいて、特別型光ディスクが装填されているか否かを判別するようにしても良い。
【００９５】
この場合、各タイムコード情報のデータ長としては、通常は９フレームであるが、１フレームのエキストラ情報に続いて５フレーム、１０フレーム又は１５フレーム等のように任意に設定したフレーム数でタイムコード情報を配置するようにすれば良い。例えばタイムコード情報のデータ長を５フレーム又は１０フレームずつ段階的に増加させていく場合に、リードインエリアＡ２Ｃの開始位置をずらしてオフセットをかけるように配置しても良い。
【００９６】
これに加えて、判別手段を構成するＣＰＵ１９は、データ長を任意設定した各タイムコード情報（時間情報を形成する各要素）の間に発現する各エキストラ情報（他の種類の各要素）の配列順序に基づいて、特別型光ディスクが装填されているか否かを判別するようにしても良い。
【００９７】
さらに上述の実施の形態においては、判別手段を構成するＣＰＵ１９は、リードインエリアＡ２Ｃ（第１の記録領域）に相当する絶対時間情報（第３の情報）のアドレス又は時間位置に基づいて、特別型光ディスクが装填されているか否かを判別するようにしても良い。
【００９８】
すなわち絶対時間情報（第３の情報）における固定アドレス（又は時間位置）に特定のエキストラ情報が存在する場合に、特別型光ディスクが装填されていると判断するようにしても良い。この場合例えば、通常型光ディスクに応じた絶対時間情報（第１の情報）の固定アドレス（99:50:00）にスペシャルインフォメーションＳＩ１が存在することを前提として、特別型光ディスクに応じた絶対時間情報（第３の情報）の固定アドレス（99:50:01）にスペシャルインフォメーションＳＩ１が存在するように設定しておけば良い。
【００９９】
さらに上述の実施の形態においては、特別型光ディスクのリードインエリアＡ２Ｃ（第１の記録領域）と異なる第２の記録領域として、リードアウトエリアを適用した場合について述べたが、本発明はこれに限らず、ディジタルオーディオデータ（第２の情報）の書込み時に必要な種々の拡張情報（例えば特別型ディスクに特有の超高速速度に応じたパラメータ等）を他の領域に書き込むようにしても良い。なお、第２の情報としては、ディジタルオーディオデータＤ３以外にも種々のディジタルデータに広く適用することができる。
【０１００】
【発明の効果】
上述のように本発明によれば、第１の記録領域に第１の情報が書き込まれ、かつ当該第１の情報の記述内容に従って第２の情報が書き込み可能なディスク状記録媒体において、第１の情報を形成する複数の要素と異なる新たな種類の要素を付加することなく、当該複数の要素の構成から第３の情報が得られ、第３の情報の記述内容は、第１の情報を形成する上記複数の要素のうち、循環的に繰り返し発現する各要素の順序又は連続性を設定変更したことにより、光ディスクのリードインエリアの記述内容に新たな情報を拡張的に付加することなく第１の情報を形成する要素のうち循環的に繰り返す要素の順序及び連続性を設定変更するだけで第３の情報が得られるので、限られた領域内で効率的に情報を利用することができ、かくしてユーザにとって使用効率を格段と向上し得るディスク状記録媒体を実現し得る。
【図面の簡単な説明】
【図１】本実施の形態による光ディスク装置の構成を示すブロック図である。
【図２】光ディスクの記録面における各エリアの説明に供する略線図である。
【図３】１ブロックの構成の説明に供する略線図である。
【図４】１フレームの構成の説明に供する略線図である。
【図５】サブコードＱデータの内容の説明に供する概念図である。
【図６】通常型判別順序の内容の説明に供する略線図である。
【図７】特別型判別順序の内容の説明に供する略線図である。
【図８】書込み設定処理手順の説明に供するフローチャートである。
【図９】判別モード処理手順の説明に供するフローチャートである。
【符号の説明】
１……光ディスク装置、２……ホストコンピュータ、３……光ディスク、３Ａ……記録面、１１……光ピックアップ、１９……ＣＰＵ、Ｄ３……ディジタルオーディオデータ（読出しデータ）、ＤＱ……サブコードＱデータ、Ａ１……プログラムエリア、Ａ２……サブコードデータエリア、Ａ２Ａ……パワーキャリブレーションエリア（ＰＣＡ）、Ａ２Ｂ……プログラムメモリエリア（ＰＭＡ）、Ａ２Ｃ……リードインエリア、Ａ２Ｄ……リードアウトエリア、Ｒ１……書込み設定処理手順、Ｒ２……判別モード処理手順。
【図１】
0004441840.tif 000002
【図２】
0004441840.tif 000003
【図３】
0004441840.tif 000004
【図４】
0004441840.tif 000005
【図５】
0004441840.tif 000006
【図６】
0004441840.tif 000007
【図７】
0004441840.tif 000008
【図８】
0004441840.tif 000009
【図９】
0004441840.tif 000010